(57)【特許請求の範囲】
【請求項１】
携帯端末機の画面編集方法において、
待機モードで、予め設定された大きさを有し、少なくとも一つのアイテムを含む第１領域及び第２領域を表示する動作と、
編集モードの活性化に対応し、前記第１領域の前記予め設定された大きさ、及び前記少なくとも一つのアイテムの大きさを縮小して表示し、コマンドオブジェクトを含む第３領域を前記第１領域及び前記第２領域と視覚的に区分して表示する動作と、
前記第１領域の前記少なくとも一つのアイテムのうち任意のアイテムが、前記第３領域の前記コマンドオブジェクトに移動することを感知することに対応し、前記任意のアイテムに関して前記コマンドオブジェクトに割り当てられたコマンドを実行する動作と、を含み、
前記第２領域は、前記第１領域に隣接していることを特徴とする画面編集方法。
【請求項２】
前記編集モードで、前記第１領域は、現在ページを全体としてただ一つのフレームが表示されることを特徴とする、請求項１に記載の画面編集方法。
【請求項３】
前記任意のアイテムが、前記第３領域の前記コマンドオブジェクトに移動する場合、前記第３領域の前記コマンドオブジェクトの視覚的特性が変化することを特徴とする、請求項１に記載の画面編集方法。
【請求項４】
前記任意のアイテムに関して前記コマンドオブジェクトに割り当てられたコマンドが実行する間、前記第３領域の前記コマンドオブジェクトの視覚的特性が変化することを特徴とする、請求項１に記載の画面編集方法。
【請求項５】
前記編集モードで、前記第１領域及び前記第３領域の間に視覚的境界が表示されることを特徴とする、請求項１に記載の画面編集方法。
【請求項６】
前記編集モードで、前記第１領域及び前記第３領域の間に第１視覚的境界が表示され、前記第１領域及び前記第２領域の間に第２視覚的境界が表示されることを特徴とする、請求項１に記載の画面編集方法。
【請求項７】
前記編集モードで、前記第２領域の前記予め設定された大きさが維持されることを特徴とする、請求項１に記載の画面編集方法。
【請求項８】
前記コマンドオブジェクトは、アイテム削除に関するコマンドオブジェクトを含むことを特徴とする、請求項１に記載の画面編集方法。
【請求項９】
画面編集を実行する携帯端末において、
表示部と、
待機モードで、予め設定された大きさを有し、少なくとも一つのアイテムを含む第１領域及び第２領域を表示するように前記表示部を制御し、
編集モードの活性化に対応し、前記第１領域の前記予め設定された大きさ、及び前記少なくとも一つのアイテムの大きさを縮小して表示し、コマンドオブジェクトを含む第３領域を前記第１領域及び前記第２領域と視覚的に区分して表示するように前記の表示部を制御し、
前記第１領域の前記少なくとも一つのアイテムのうち任意のアイテムが、前記第３領域の前記コマンドオブジェクトに移動することを感知することに対応し、前記任意のアイテムに関して前記コマンドオブジェクトに割り当てられたコマンドを実行する制御部と、を含み、
前記第２領域は、前記第１領域に隣接していることを特徴とする携帯端末。
【請求項１０】
前記編集モードで、前記第１領域は、現在ページを全体としてただ一つのフレームが表示されることを特徴とする、請求項９に記載の携帯端末。
【請求項１１】
前記任意のアイテムが、前記第３領域の前記コマンドオブジェクトに移動する場合、前記第３領域の前記コマンドオブジェクトの視覚的特性が変化することを特徴とする、請求項９に記載の携帯端末。
【請求項１２】
前記任意のアイテムに関して前記コマンドオブジェクトに割り当てられたコマンドが実行する間、前記第３領域の前記コマンドオブジェクトの視覚的特性が変化することを特徴とする、請求項９に記載の携帯端末。
【請求項１３】
前記編集モードで、前記第１領域及び前記第３領域の間に視覚的境界が表示されることを特徴とする、請求項９に記載の携帯端末。
【請求項１４】
前記編集モードで、前記第１領域及び前記第３領域の間に第１視覚的境界が表示され、前記第１領域及び前記第２領域の間に第２視覚的境界が表示されることを特徴とする、請求項９に記載の携帯端末。
【請求項１５】
前記編集モードで、前記第２領域の前記予め設定された大きさが維持されることを特徴とする、請求項９に記載の携帯端末。
【請求項１６】
前記コマンドオブジェクトは、アイテム削除に関するコマンドオブジェクトを含むことを特徴とする、請求項９に記載の携帯端末。
【発明の詳細な説明】
【技術分野】
【０００１】
本発明は、タッチスクリーンを備えた携帯端末機の画面編集方法及び装置に関する。より具体的には、本発明は、編集モードで、任意のアイテムが編集コマンド領域に移動すると移動された領域に対して予め設定された編集コマンドを実行する方法及び装置に関する。
【背景技術】
【０００２】
近年、携帯端末機はｅ−ｂｏｏｋ、音楽、ギャラリー、映画、ゲーム、スケジュール管理機能などの多様な付加サービスを提供するマルチメディア機器に発展しつつである。上記のように携帯端末機の多様な付加サービスを提供することによって、多様な種類の付加サービスをより便利に管理して利用することができるユーザインターフェースは必須である。
【０００３】
特に、携帯端末機のメイン画面またはホーム画面編集の際、新しいフォルダなどを生成するための手続きは次の通りである。この場合、メイン画面は携帯端末機が基本的に提供する画面であり、ホーム画面は上記メイン画面に基づいてユーザが自己の趣向に応じて編集した画面である。
【０００４】
まず、ユーザは長押し(ｌｏｎｇ ｐｒｅｓｓ)等を利用して編集モードに進入し、携帯端末機画面の余剰空間をさらに長押ししてフォルダ生成を選択する。さらに、ユーザは生成されたフォルダにアイテムを移動させようとする場合、それぞれのアイコンを選択及びドラッグ(Ｄｒａｇ)して生成されたフォルダにドロップ(Ｄｒｏｐ)する。また、生成されたフォルダを他のページに移動させようとする場合、ユーザは望むページまで当該フォルダを長押しした状態でドラッグすべきであった。
【発明の概要】
【発明が解決しようとする課題】
【０００５】
このように上記従来技術によるフォルダ生成手続きは複雑で多段階の手続きを経なければならないという問題点が存在した。しかし、このような問題点は単にフォルダ生成手続きだけではなく携帯端末機の画面編集過程全般にわたって存在する。
【課題を解決するための手段】
【０００６】
本発明は、上記のような問題点を解決するために案出されたもので、編集モードで任意のアイテムが編集コマンド領域に移動すると、移動された領域に対して予め設定された編集コマンドを実行する方法及び装置を提供することをその目的とする。
【０００７】
本発明の一実施形態によれば、タッチスクリーンを備えた携帯端末機の画面編集方法は、待機モードで、少なくとも一つのアイテムが表示されるアイテム表示領域を待機画面に表示する待機画面表示段階、編集モードへ入る際、少なくとも一つの編集コマンドを含む編集コマンド領域を編集画面に表示する編集画面表示段階、及び任意の第１アイテムが上記編集コマンド領域へ移動する際、移動された領域に対して予め設定された編集コマンドを実行する実行段階を含むことを特徴とする。
【０００８】
本発明の他の実施形態によれば、携帯端末機の画面編集装置は、待機モードで、少なくとも一つのアイテムが表示されるアイテム表示領域を待機画面に表示し、編集モード進入の際、少なくとも一つの編集コマンドを含む編集コマンド領域を編集画面に表示し、画面編集コマンドを受信するタッチスクリーン部及び任意の第１アイテムが上記編集コマンド領域に移動の際、移動された領域に対して予め設定された編集コマンドを実行するように制御する制御部を含むことを特徴とする。
【０００９】
本発明にまた他の実施形態によれば、編集モードで、任意のアイテムが編集コマンド領域に移動すると、移動された領域に対して予め設定された編集コマンドを実行する。従って、ユーザは編集モードでフォルダ生成手続きとアイテムのフォルダへの移動手続きを同時に実行することができる。従って、ユーザはスウィープ(ｓｗｅｅｐ) 動作を利用して生成されたフォルダを他のページで容易に移動させることができる。また、本発明はフォルダ生成手続きだけではなくページ生成手続きにも適用可能である。これによれば、ユーザは望むアイテムを集めて一度に新しいページに追加された状態で新しいページを生成することができる。
【発明の効果】
【００１０】
本発明によれば、ユーザは任意のアイテムが編集モードで編集コマンド領域に移動すると、携帯端末機の表示画面の特定コマンド領域に割り当てられた所定の編集コマンドを実行することができる。
【図面の簡単な説明】
【００１１】
【図１】本発明の実施形態による携帯端末機の内部構造を示したブロック図である。
【図２】本発明の携帯端末機に表示される待機画面の一例を示した図面である。
【図３】本発明の携帯端末機に表示される編集画面の一例を示した図面である。
【図４】本発明の実施形態による画面編集過程を示したフローチャートである。
【図５】画面編集過程手続きで携帯端末機に表示される待機画面及び編集画面の一例を示した図面である。
【図６】図４に示したステップＳ４５０のフォルダ生成手続きを示したフローチャートである。
【図７】図６に示したフォルダ生成手続きで携帯端末機に表示される待機画面及び編集画面の一例を示した図面である。
【図８】図４に示したステップＳ４５０のページ生成手続きを示したフローチャートである。
【図９Ａ】図８に示したページ生成手続きで携帯端末機に表示される待機画面及び編集画面の一例を示した図面である。
【図９Ｂ】図８に示したページ生成手続きで携帯端末機に表示される待機画面及び編集画面の一例を示した図面である。
【図１０】本発明の選択的拡張実施形態であるアイテム削除手続きを示したフローチャートである。
【発明を実施するための形態】
【００１２】
本発明のアイテム(Ｉｔｅｍ)とは、アプリケーション、フォルダ、ウィジェットなどを識別したり実行したりするための単位を意味する。この場合、上記アイテムは任意の形状、模様、色彩またはこれらの組み合わせに表示されてもよい。
【００１３】
以下、添付の図面を参照して本発明の好ましい実施形態を詳しく説明する。その際、図面において同一構成要素には可能な限り同一符号が付されている事に留意されたい。また、本発明の要旨を不明瞭にする公知機能及び構成に関する説明は省略する。
【００１４】
図１は、本発明の実施形態による携帯端末機１００の内部構造を示したブロック図である。
【００１５】
図１に示したように、本発明の携帯端末機１００は、無線通信部１１０、オーディオ処理部１２０、タッチスクリーン部１３０、キー入力部１４０、記憶部１５０及び制御部１６０を含むことができる。
【００１６】
無線通信部１１０は、携帯端末機１００の無線通信のための当該データの送受信機能を実行する。無線通信部１１０は、送信される信号の周波数をアップコンバート及び増幅するＲＦ送信機と、受信される信号を低雑音増幅して周波数をダウンコンバートするＲＦ受信機などから構成されてもよい。また、無線通信部１１０は、無線チャンネルを通じてデータを受信して制御部１６０に出力し、制御部１６０から出力されたデータを、無線チャンネルを通じて送信する。
【００１７】
オーディオ処理部１２０は、コーデック(ＣＯＤＥＣ)から構成されてもよく、コーデックはパケットデータなどを処理するデータコーデックと音声などのオーディオ信号を処理するオーディオコーデックから構成されることができる。オーディオ処理部１２０は、デジタルオーディオ信号を、オーディオコーデックを通じてアナログオーディオ信号に変換してスピーカー(ＳＰＫ)を通じて再生し、マイク(ＭＩＣ)から入力されるアナログオーディオ信号を、オーディオコーデックを通じてデジタルオーディオ信号に変換する。
【００１８】
タッチスクリーン部１３０は、タッチセンサー部１３１及び表示部１３２を含む。タッチセンサー部１３１はユーザのタッチ入力を検出する。タッチセンサー部１３１は、静電容量方式(ｃａｐａｃｉｔｉｖｅ ｏｖｅｒｌａｙ)、圧力式抵抗膜方式(ｒｅｓｉｓｔｉｖｅ ｏｖｅｒｌａｙ)、赤外線検出方式(ｉｎｆｒａｒｅｄ ｂｅａｍ)などのタッチ検出センサーから構成されても、圧力検出センサー(ｐｒｅｓｓｕｒｅ  ｄｅｔｅｃｔｉｏｎ  ｓｅｎｓｏｒ)から構成されてもよい。上記センサー以外にも物体の接触または圧力を検出することができる全ての種類のセンサーが本発明のタッチセンサー部１３１として利用されてもよい。タッチセンサー部１３１は、ユーザのタッチ入力を検出し、検出信号を発生させて制御部１６０へ送信する。上記検出信号にはユーザがタッチを入力した座標データが含まれる。ユーザがタッチ位置移動動作を入力した場合にタッチセンサー部１３１はタッチ位置移動経路の座標データを含む検出信号を発生させて制御部１６０へ送信する。
【００１９】
特に、タッチセンサー部１３１は、本発明の実施形態に応じて待機モードから編集モードに入るためのユーザ入力を検出してもよい。このようなユーザ入力は、例えば、タッチ(マルチタッチ含み)、長押し(Ｌｏｎｇ Ｐｒｅｓｓ)、ドラッグなどであってもよい。
【００２０】
表示部１３２は、液晶表示装置(ＬＣＤ、Ｌｉｑｕｉｄ Ｃｒｙｓｔａｌ Ｄｉｓｐｌａｙ)、有機発光ダイオード(ＯＬＥＤ、Ｏｒｇａｎｉｃ Ｌｉｇｈｔ Ｅｍｉｔｔｉｎｇ Ｄｉｏｄｅｓ)、能動型有機発光ダイオード(ＡＭＯＬＥＤ、Ａｃｔｉｖｅ Ｍａｔｒｉｘ Ｏｒｇａｎｉｃ Ｌｉｇｈｔ Ｅｍｉｔｔｉｎｇ Ｄｉｏｄｅｓ) などから形成されてもよく、携帯端末機１００のメニュー、入力されたデータ、機能設定情報及びその他の多様な情報をユーザに視覚的に提供する。表示部１３２は携帯端末機１００のブーティング画面、待機画面、メニュー画面、通話画面、その他のアプリケーション画面を出力する機能を実行する。
【００２１】
本発明の携帯端末機１００は、上記のようにタッチスクリーンを含んで構成されるが、後述される本発明の実施形態が必ずタッチスクリーンを備える携帯端末機１００にだけ適用されることではないことに留意すべきである。本発明がタッチスクリーンを備えない携帯端末機に適用される場合、図１に図示されるタッチスクリーン部１３０は、表示部１３２の機能のみを実行するように変形適用されてもよい。
【００２２】
キー入力部１４０は、携帯端末機１００を制御するためのユーザのキー操作が入力されて入力信号を生成して制御部１６０に伝達する。キー入力部１４０は、数字キー、方向キーを含むキーパッドから構成されてもよく、携帯端末機１００の一面に所定の機能キーから形成されてもよい。本発明の実施形態によってタッチスクリーン部１３０だけで全ての操作が可能な携帯端末機の場合には、キー入力部１４０が省略されてもよい。
【００２３】
記憶部１５０は、携帯端末機１００の作動に必要なプログラム及びデータを記憶するために使用され、プログラム領域とデータ領域に区分されてもよい。プログラム領域は、携帯端末機１００の全般的な作動を制御するプログラム及び携帯端末機１００をブーティングさせるオペレーティングシステム(Ｏｐｅｒａｔｉｎｇ  Ｓｙｓｔｅｍ)、マルチメディアコンテンツ再生などに必要な応用プログラム、携帯端末機１００のその他のオプション機能、例えば、カメラ機能、音再生機能、イメージまたは動画像再生機能に必要な応用プログラムなどを記憶することができる。データ領域は、携帯端末機１００の使用に応じて発生するデータが記憶される領域として、イメージ、動画像、電話帳、オーディオデータなどを記憶することができる。
【００２４】
制御部１６０は、携帯端末機の各構成要素に対する全般的な作動を制御する。特に、制御部１６０は、携帯端末機１００が編集モードに入っていて、任意のアイテムが編集コマンド領域に移動すると、移動された領域に対して予め設定された編集コマンドを実行する一連の過程を制御することができる。このために、制御部１６０は編集モード制御部１６１をさらに備えることができる。
【００２５】
まず、編集モード制御部１６１が実行する機能を説明するにあたり、図２及び図３を参照して説明する。図２は本発明の携帯端末機１００に表示される待機画面の一例を示した図面であり、図３は本発明の携帯端末機１００に表示される編集画面の一例を示した図面である。
【００２６】
編集モード制御部１６１は、携帯端末機１００の待機モードで、図２に図示された待機画面を表示するように制御する。図２に図示したように、本発明の実施形態による待機画面はショートカット領域及びアイテム表示領域を含んでもよい。ショートカット領域は特定機能を直接実行させることができる少なくとも一つのアイテムを含む。上記ショートカット領域は、本発明の実施形態に応じて待機画面に選択的に表示されることができる領域なので、必ず待機画面にショートカット領域が表示されるべきである訳ではない。
【００２７】
アイテム表示領域には少なくとも一つのアイテムが表示されてもよい。上記アイテムはアプリケーション、フォルダ、ウィジェットなどを識別したり実行したりするための単位を意味し、アイテム選択検出時、当該アイテムに対して設定された機能が実行されてもよい。
【００２８】
一方、編集モード制御部１６１は、待機モードから編集モードへ入る際、図３に示したような編集画面を表示するように制御する。図３に示したように、本発明の実施形態による編集画面はショートカット領域、アイテム表示領域、編集コマンド表示領域を含んでもよい。
【００２９】
ショートカット領域は、図２で説明した通りである。
【００３０】
編集モード制御部１６１は、編集モードへ入る際、アイテム表示領域に表示されたアイコンの大きさを縮小させる。これと共に、編集モード制御部１６１は、ページをフレーム単位に区分できるように、それぞれのページをページフレーム単位で表示する。これによって、編集モード制御部１６１は、現在ページフレームの左側及び右側には現在ページの左側ページに対する左側ページフレーム及び現在ページの右側ページに対する右側ページフレームの一部が表示されるように制御することができる。さらに、編集モード制御部１６１は、アイテム表示領域に表示されたアイテムのうちで編集可能なアイテムに対してはアイテムに隣接した位置に別途の識別子３１０を表示してもよい。
【００３１】
また、編集モード制御部１６１は、編集モードへ入る際、編集画面の一領域に編集コマンド表示領域を表示するように制御することができる。図３では編集画面の下端に編集コマンド表示領域が表示される例を示している。上記編集コマンド領域は、第１編集コマンド領域、第２編集コマンド領域などの複数個の領域に分割可能であり、それぞれの領域には特定編集コマンドが予め設定される。例えば、第１編集コマンド領域にはフォルダ生成コマンドが予め設定され、第２編集コマンド領域にはページ生成コマンドが予め設定されてもよい。
【００３２】
編集モード制御部１６１は、アイテム表示領域に表示された任意のアイテムが上記編集コマンド領域に位置したことを検出すると、移動された領域に対して予め設定された編集コマンドを実行するように制御する。例えば、編集モード制御部１６１は、フォルダ生成コマンドが設定された第１編集コマンド領域に任意のアイテムが位置したことを検出すると、フォルダ生成手続きを進行する。他の例として、編集モード制御部１６１は、ページ生成コマンドが設定された第２編集コマンド領域に任意のアイテムが位置したことを検出すると、ページ生成手続きを進行する。上記フォルダ生成手続き及びページ生成手続きに対する具体的な過程は後述する。
【００３３】
一方、上記の例では、第１編集コマンド領域にはフォルダ生成コマンドが予め設定され、第２編集コマンド領域にはページ生成コマンドが予め設定された場合を示したが、必ずここに限定されるものではなく、複数個の領域に互いに異なる編集コマンドがそれぞれ予め設定される実施形態に対して拡張適用可能である。
【００３４】
上記では、制御部１６０、編集モード制御部１６１が別途のブロックから構成され、各ブロックが相違する機能を実行することを記述したが、これは記述上の便宜のためのもので、必ず各機能がこのように区分されなくてもよい。例えば、編集モード制御部１６１が実行する特定機能を制御部１６０自体が実行することもできる事に留意されたい。
【００３５】
図４は、本発明の実施形態による画面編集過程を示したフローチャートである。さらに、図５を参照して図４の画面編集過程を説明する。上記図５は、画面編集過程手続きで携帯端末機１００に表示される待機画面及び編集画面の一例を示した図面である。
【００３６】
まず、制御部１６０は、携帯端末機１００の電源オン(ｏｎ) 後、ステップＳ４０５において待機モードに入ることを検出する。
【００３７】
さらに、制御部１６０は、ステップＳ４１０へ進み、少なくとも一つのアイテムを含むアイテム表示領域を待機画面に表示するように制御する。待機画面に対する一例が図５（ａ）に図示される。
【００３８】
さらに、制御部１６０はステップＳ４１５から編集モードに入るための入力を受信したのか否かを判定する。本発明の一実施形態によれば、上記編集モードに入る入力は編集モードへ入るためのソフトキー入力、任意のアイテムまたは任意の領域を一定時間以上長押しするタッチ入力などを含んでもよい。もし、制御部１６０が編集モードに入る入力を検出することができない場合、ステップＳ４２０へ進み、待機モードを維持する。または制御部１６０は、ユーザから要請された他の機能を実行する。
【００３９】
一方、制御部１６０が編集モードへ入る入力を検出すると、制御部１６０はステップＳ４２５へ進み、編集画面を表示するように制御する。より具体的に、制御部１６０は、少なくとも一つの編集コマンドを含む編集コマンド領域を上記編集画面に表示する。ここで表示画面に対する一例が図５（ｂ）に図示される。この場合、ユーザは各ページがページフレームに表示されることから現在モードが編集モードなのを直感することができる。また、図５（ｂ）に図示したように、現在ページである第２ページに対するページフレームの左側及び右側で第１ページに対するページフレーム及び第２ページに対するページフレームの一部が表示されることができる。
【００４０】
さらに、制御部１６０はステップＳ４３０へ進み、アイテム移動コマンドが受信されたのか判定する。アイテム移動コマンドは特定アイテム選択コマンド後、ドラッグ(Ｄｒａｇ) コマンドなどであってもよい。
【００４１】
もし、アイテム移動コマンドが検出されると、制御部１６０はステップＳ４３５へ進み、上記アイテムが編集コマンド領域に移動されるか否かを判定する。即ち、制御部１６０は、特定アイテムがドラッグされた後、編集コマンド領域にドロップ(Ｄｒｏｐ)されるのか否かを判定する。編集コマンド領域への移動コマンドではない場合、制御部１６０はアイテム移動コマンドを一般的な移動コマンドで検出し、ステップＳ４４０でドロップされた位置に上記アイテムの位置を変更するように制御する。
【００４２】
一方、編集コマンド領域への移動コマンドの場合、制御部１６０はステップＳ４４５から移動された領域に対して予め設定された編集コマンドを確認する。上記編集コマンドは例えば、フォルダ生成コマンド、ページ生成コマンド、アイテム削除コマンドなどを含んでもよいが、これは一例示であるだけ、必ずここに限定されるものではない。
【００４３】
さらに、制御部１６０はステップＳ４５０へ進み、確認された編集コマンドを実行する。この場合、編集コマンドを実行する具体的な実施形態に対しては後述する。
【００４４】
まず、図６及び図７を通じて本発明の実施形態によるフォルダ生成過程を説明する。
【００４５】
図６は、本発明の実施形態によるステップＳ４５０のフォルダ生成手続きを示したフローチャートであり、図７は、フォルダ生成手続きで携帯端末機１００に表示される待機画面及び編集画面の一例示を示した図面である。
【００４６】
まず、制御部１６０はステップＳ６０５で、アイテムが移動された位置が第１編集コマンド領域なのか否かを判定する。アイテムの移動位置が第１編集コマンド領域ではない場合、制御部１６０はステップＳ６１０へ進む。
【００４７】
一方、アイテムの移動位置が第１編集コマンド領域の場合、制御部１６０は、ステップＳ６１５へ進み、フォルダ生成手続きを実行する。
【００４８】
制御部１６０は、ステップＳ６２０で第１編集コマンド領域にフォルダアイコン７２０を生成する。本発明の一実施形態によれば、制御部１６０はフォルダアイコン７２０内部に移動されたアイテムのアイコンを表示するように制御することができる。
【００４９】
さらに、制御部１６０はステップＳ６２５で、生成されたフォルダアイコン７２０に他のアイテムが移動して位置するのか否かを判定する。他のアイテムが位置した場合、制御部１６０はステップＳ６３０で、新規移動されたアイテムを生成されたフォルダに対する下位アイテムで追加する。このために、制御部１６０はフォルダアイコン７２０内部に新規移動されたアイテムのアイコンを追加で表示するように制御することができる。
【００５０】
もし、生成されたフォルダアイコン７２０に他のアイテムが移動しない場合であれば、制御部１６０はステップＳ６３５で、ページ移動コマンドが入力されるのか否かを判定する。本発明の実施形態によれば、上記ページ移動コマンドは、携帯端末機１００の表示部の任意の地点をタッチした後、一定方向にドラッグするスウィープ(ｓｗｅｅｐ)作動である。
【００５１】
ページ移動コマンドが入力される場合であれば、制御部１６０は、ステップＳ６４０へ進み、移動コマンドによる方向に編集画面のカレントページ(Ｃｕｒｒｅｎｔ  ｐａｇｅ)に表示されるページを移動させることができる。
【００５２】
一方、ページ移動コマンドがない場合、制御部１６０は、ステップＳ６４５で、フォルダ生成手続き終了コマンドが入力されるのか否かを判定する。フォルダ生成手続き終了コマンドが入力されない場合であれば、制御部１６０は、ステップＳ６２５に戻ってフォルダ生成手続きを続いて実行する。
【００５３】
一方、フォルダ生成手続き終了コマンドが入力された場合であれば、制御部１６０はステップＳ６５０へ進み、編集画面の現在ページに、生成されたフォルダアイコン７２０を表示する。この場合、フォルダ生成手続き終了コマンドは、例えば、フォルダアイコン７２０を選択後、ドラッグして、現在ページの任意の位置にドロップする入力であることがある。
【００５４】
上記の図６の過程を、図７を通じて具体的に説明する。
【００５５】
まず、図７（ａ）は、編集モードへ入る際の編集画面が表示され、任意のアイテム７１０が選択される過程を示している。さらに、図７（ｂ）では選択されたアイテムがユーザによって入力されたアイテム移動コマンド、即ち、ドラッグコマンドに応じて第１編集コマンド領域へドラッグとなる過程を示した。
【００５６】
さらに、図７（ｃ）は、選択されたアイテムが第１編集コマンド領域に向かってドラッグされる過程を示した。図７（ｃ）に示したように、アイテムが第１編集コマンド領域内にドラッグされると、第１編集コマンド領域がフォーカスを受けながら拡大されてもよい。さらに、図７（ｄ）では選択されたアイテムが第１編集コマンド領域でドロップ(Ｄｒｏｐ)された状態を図示する。すると、第１編集コマンド領域にはフォルダアイコン７２０が生成される。
【００５７】
ユーザは生成されたフォルダアイコン７２０を現在ページの任意の位置にドラッグアンドドロップしてフォルダ生成手続きを終了することができる。または、ユーザは編集画面を左右でスウィープ(ｓｗｅｅｐ)してフォルダを位置させようとするページを選択した後、選択されたページの任意の位置にドラッグアンドドロップすることができる。これによってユーザは生成されたフォルダアイコン７２０を望むページにより容易に位置させることができる。
【００５８】
以下では図８及び図９を通じて本発明の実施形態によるページ生成過程をより具体的に説明する。
【００５９】
図８は本発明の実施形態によるステップＳ４５０のページ生成手続きを示したフローチャートであり、図９は、ページ生成手続きで携帯端末機１００に表示される待機画面及び編集画面の一例を示した図面である。
【００６０】
まず、制御部１６０は、ステップＳ８０５で、アイテムが移動された位置が第２編集コマンド領域なのか否かを判定する。アイテムの移動位置が第２編集コマンドではない場合、制御部１６０はステップＳ８１０へ進む。
【００６１】
一方、アイテムの移動位置が第２編集コマンド領域の場合、制御部１６０はステップＳ８１５へ進み、ページ生成手続きを実行する。
【００６２】
制御部１６０は、ステップＳ８２０で第２編集コマンド領域にページアイコン９２０を生成する。
【００６３】
本発明の一実施形態によれば、制御部１６０はステップＳ８２５で、生成されたページアイコン９２０内部に移動されたアイテムのアイコンを表示するように制御することができる。
【００６４】
さらに、制御部１６０はステップＳ８３０で、生成されたページアイコン９２０に他のアイテムが移動して位置するのか否かを判定する。他のアイテムが位置した場合、制御部１６０はステップＳ８３５で、新規移動されたアイテムを生成されたページに対する下位アイテムとして追加登録する。このために、制御部１６０はページアイコン９２０内部に新規移動されたアイテムのアイコンを追加で表示するように制御することができる。
【００６５】
もし、生成されたページアイコン９２０に他のアイテムが移動しない場合であれば、制御部１６０はステップＳ８４０で、ページ移動コマンドが入力されたのか否かを判定する。
【００６６】
ページ移動コマンドが入力された場合であれば、制御部１６０はステップＳ８４５へ進み、移動コマンドによる方向に編集画面のカレントページに表示されるページを移動させることができる。
【００６７】
一方、ページ移動コマンドがない場合、制御部１６０はステップＳ８５０へ進み、ページ生成手続き終了コマンドが入力されるのか否かを判定する。ページ生成手続き終了コマンドが入力されない場合であれば、制御部１６０はステップＳ８３０へ戻ってページ生成手続きを続いて実行行する。一方、ページ生成手続き終了コマンドが入力された場合であれば、制御部１６０はステップＳ８５５へ進み、設定された位置に生成されたページを追加する。ここでページ生成手続き終了コマンドとは、ページアイコン９２０が選択及びドラッグされて任意の位置にドロップされる入力を意味することができる。さらに、上記設定された位置とは、ページアイコンがドロップされる位置を意味し、上記位置は任意の第１ページ及び任意の第２ページの間であることができる。例えば、ページアイコン９２０は第３ページ及び第４ページの間にドラッグアンドドロップされる場合、第３ページ以降に新規ページが生成される。
【００６８】
上記の図８の過程を、図９Ａ，Ｂを通じて具体的に説明する。
【００６９】
まず、図９Ａ（ａ）は、編集モードへ入る際の編集画面が表示されて、任意のアイテム９１０が選択される過程を示した。さらに、図９Ａ（ｂ）では、選択されたアイテムがユーザによって入力されたアイテム移動コマンド、即ち、ドラッグコマンドに応じて第２編集コマンド領域に向けてドラッグされる過程を図示する。
【００７０】
さらに、図９Ａ（ｃ）は、選択されたアイテムが第２編集コマンド領域内にドラッグされる過程を示した。図９Ａ（ｃ）に示すように、アイテムが第２編集コマンド領域内にドラッグされると、第２編集コマンド領域がフォーカスを受けながら拡大されてもよい。さらに、図９Ｂ（ｄ）は、選択されたアイテムが第２編集コマンド領域でドロップされた状態を示した。すると、第２編集コマンド領域にはページアイコン９２０が生成される。以後、ユーザは選択的に上記ページアイコン９２０に任意のアイテムを追加的に追加することができる。
【００７１】
さらに、ユーザは、図９Ｂ（ｅ）に示すようにページアイコン９２０をドラッグして第２ページ及び第３ページの間にドロップする。すると、図９Ｂ（ｆ）に示したように、新規ページは第２ページの次のページで追加生成される。
【００７２】
図１０は、本発明の選択的拡張実施形態であるアイテム削除手続きを示したフローチャートである。図１０の実施形態による携帯端末機１００に表示される待機画面及び編集画面の例示は、以前に図示した図面と類似であるので、図面の図示は省略する。
【００７３】
まず、制御部１６０は、ステップＳ１００５で、アイテムが移動された位置が第３編集コマンド領域なのか否かを判定する。第３編集コマンド領域の場合、制御部１６０はステップＳ１０１０に進み、アイテム削除手続きを実行する。
【００７４】
制御部１６０は、ステップＳ１０１５で、第３編集コマンド領域に削除アイコンを生成する。本発明の一実施形態によれば、制御部１６０は、ステップＳ１０２０で、削除アイコン内部に移動されたアイテムのアイコンを表示するように制御することができる。
【００７５】
さらに、制御部１６０は、ステップＳ１０２５で、生成された削除アイコンに他のアイテムが移動して位置したのか否かを判定する。他のアイテムが位置した場合、制御部１６０は、ステップＳ１０３０で、新規移動されたアイテムを削除対象アイテムと設定する。
【００７６】
もし、生成された削除アイコンに他のアイテムが移動しない場合であれば、制御部１６０はステップＳ１０３５で、ページ移動コマンドが入力されるのか否かを判定する。ページ移動コマンドが入力された場合であれば、制御部１６０はステップＳ１０４０に進み、移動コマンドによる方向に編集画面のカレントページに表示されるページを移動させることができる。
【００７７】
一方、ページ移動コマンドがない場合、制御部１６０はステップＳ１０４５で、アイテム削除手続き終了コマンドが入力されたのか判定する。終了コマンドが入力されない場合、制御部１６０はステップＳ１０２５へ戻って以下の手続きを実行する。
【００７８】
終了コマンドが入力された場合であれば、制御部１６０はステップＳ１０５０へ進み、削除アイコンに含まれたアイテムを削除するように制御する。
【００７９】
上記の本発明の実施形態による方法は、ＣＤ ＲＯＭ、ＲＡＭ、フロッピー（登録商標）ディスク、ハードディスク、磁気発光ディスク、遠隔に記憶されたネットワークを通じてダウンロードされたコンピューターコードのような記録媒体に記憶されることができる。
【００８０】
本明細書及び図面に開示された本発明の実施形態は本発明の記述内容を容易に説明して本発明の理解を助けるために特定例を提示したものであって、本発明の範囲を限定しようとするものではない。ここに開示された実施形態以外にも本発明の技術的思想に基づいた他の変形形態が実施可能であるということは本発明が属する技術分野で通常の知識を有する者に自明なものであろう。
【図１】
0006002758.tif 000002
【図２】
0006002758.tif 000003
【図３】
0006002758.tif 000004
【図４】
0006002758.tif 000005
【図５】
0006002758.tif 000006
【図６】
0006002758.tif 000007
【図７】
0006002758.tif 000008
【図８】
0006002758.tif 000009
【図９Ａ】
0006002758.tif 000010
【図９Ｂ】
0006002758.tif 000011
【図１０】
0006002758.tif 000012